(57)【要約】【課題】給水開始から早期に洗濯物に給水し得る洗濯機を提供する。【解決手段】筐体と、筐体内に支持される貯水槽と、貯水槽内に回転自在に支持される洗濯槽と、洗濯槽内底面に回転自在に配設されるセパレーターと、パルセーターを回転駆動するモータと、貯水槽内への水を給水制御する給水弁と、給水弁の開放により給水され、洗剤を収納する洗剤ケースと、給水弁及びモータを制御する制御手段とを備え、制御手段は、給水弁の開放と同時、あるいは給水弁から前記洗剤ケースに給水されて前記洗剤ケースで生成された泡が貯水槽内に供給される程度の所定時間経過後にパルセーターを正逆回転させる。【選択図】図４
2016214480.tif 000002
【特許請求の範囲】
【請求項１】
筐体と、前記筐体内に支持される貯水槽と、前記貯水槽内に回転自在に支持される洗濯槽と、前記洗濯槽内底面に回転自在に配設されるセパレーターと、前記パルセーターを回転駆動するモータと、前記貯水槽内に水を給水制御する給水弁と、前記給水弁の開放により給水され、洗剤を収納する洗剤ケースと、前記給水弁及び前記モータを制御する制御手段とを備え、
前記制御手段は、前記給水弁の開放と同時、あるいは前記給水弁から前記洗剤ケースに給水されて前記洗剤ケースで生成された泡が前記貯水槽内に供給される程度の所定時間経過後に前記パルセーターを正逆回転させる洗濯機。
【請求項２】
前記制御手段は、前記パルセーターの正転運転時間と逆転運転時間を異なる時間に設定する請求項１に記載の洗濯機。
【発明の詳細な説明】
【技術分野】
【０００１】
本発明は、衣類を洗濯する洗濯機に関する。
【背景技術】
【０００２】
従来、洗濯物に上方から洗剤液を供給し、洗濯物に洗剤液を浸透させることにより、洗濯効率を向上させる洗濯機が提案されている（たとえば、特許文献１参照）。
【０００３】
図５は、従来の洗濯機の構成を説明する断面図である。図５に基づいて、従来の洗濯機を説明する。
【０００４】
図５に示すように、洗濯機外枠８には、外槽１を吊り棒７により弾性的に吊り下げており、外槽１の上部開口部には、パッキン５を介して外槽カバー６を設けている。外槽１内には、内槽２を回転自在に配設し、内槽２の内底部には、減速機構３を介して撹拌翼を回転自在に配設している。
【０００５】
駆動手段９であるモータ葉、減速機構３を介して内槽２を回転駆動する。給水弁１０は、内槽２内に水を供給する。水位検知手段１１は、外槽１内の水位を検知する。排水弁は、外槽１内の洗濯液を排水する。制御装置１３は、モータ９、給水弁１０、排水弁１２などを制御して、洗い、すすぎ、脱水の各工程を逐次制御する。
【０００６】
外槽１の内面には、外槽１の内底面１ａよりも上方位置に泡室１４を形成している。泡室１４は、上方の開口部をパッキン５を介して外槽カバー６に形成した蓋部１５で密閉している。蓋部１５の一部には、循環経路１６の一部を形成しており、循環経路１６の先端に泡吐出部１７を形成し、泡吐出部１７から循環経路１６を流れる泡を内槽２内の洗濯物に上方から供給する。
【０００７】
上記構成において、動作を説明する。内槽２内に洗濯物と洗剤を投入して運転を開始すると、制御装置１３によって給水弁１０が動作し、内槽２内に水を給水する。水位検知手段１１が通常の洗濯液位よりも低い所定水位を検知すると、制御装置１３が給水弁１０を停止する。そして、制御装置１３がモータ９を駆動し、内槽２を回転させて、洗剤を溶解する洗剤溶解行程を行う。この洗剤溶解行程における内槽２の回転数は、この後に行われる泡行程よりも低く設定して、洗剤を溶解し終わる前に選択液が内槽２内に供給されないようにしている。
【０００８】
洗剤が溶解できるだけの時間が経過すると、泡行程に移行し、洗剤溶解行程よりも高い回転数で内槽２を回転させる。内槽２の回転により内槽２と外槽１の間の洗濯液に大量の空気を送り込んで、洗濯液と空気を混合させ、大量の泡を発生させる。発生した大量の泡は、比重が軽いため、洗濯液の上部に移動し、外槽１内を回転しながら、泡室１４に移動する。
【０００９】
泡室１４に移動した泡は、循環経路１６を通して泡吐出部１７から内槽２内に上方から吐出し、内槽２内の洗濯物に降りかかる。
【先行技術文献】
【特許文献】
【００１０】
【特許文献１】特開２００４−３１３２３３号公報
【発明の概要】
【発明が解決しようとする課題】
【００１１】
しかしながら、従来の洗濯機は、所定水位まで給水し、外槽１内に所定量の水がたまった状態で、洗剤を溶解し、洗剤の溶解後に、洗剤液を泡たて、生成した泡を内槽２内の洗濯物に供給するので、泡を洗濯物に浸透させるまで時間を要する問題がある。
【００１２】
本発明は、前記従来の課題を解決するもので、早期に洗濯物に給水し得る洗濯機を提供することを目的とする。
【課題を解決するための手段】
【００１３】
前記従来の課題を解決するために、本発明の洗濯機は、筐体と、前記筐体内に支持される貯水槽と、前記貯水槽内に回転自在に支持される洗濯槽と、前記洗濯槽内底面に回転自在に配設されるセパレーターと、前記パルセーターを回転駆動するモータと、前記貯水槽内に水を給水制御する給水弁と、前記給水弁の開放により給水され、洗剤を収納する洗剤ケースと、前記給水弁及び前記モータを制御する制御手段とを備え、前記制御手段は、前記給水弁の開放と同時、あるいは前記給水弁から前記洗剤ケースに給水されて前記洗剤ケースで生成された泡が前記貯水槽内に供給される程度の所定時間経過後に前記パルセーターを正逆回転させるものである。
【発明の効果】
【００１４】
本発明の洗濯機は、給水開始の早期から満遍なく洗濯物に給水することができ、洗濯ムラを抑制することができる等の効果を奏する。
【図面の簡単な説明】
【００１５】
【図１】本発明の実施の形態における洗濯機の概略的な斜視図
【図２】同洗濯機の蓋体を開放した状態の概略的な斜視図
【図３】同洗濯機の概略的な断面図
【図４】同洗濯機のパルセーターの回転による洗濯物の移動を説明する概略的な斜視図
【図５】従来の洗濯機の概略的な断面図
【発明を実施するための形態】
【００１６】
図１は、洗濯機１００の概略的な斜視図である。図２は、蓋体７００を開放した状態の洗濯機１００の概略的な斜視図である。図３は、洗濯機１００の概略的な断面図である。図１乃至図３を参照して、洗濯機１００を説明する。
【００１７】
洗濯機１００は、筐体６００と、蓋体７００と、を備える。筐体６００は、下筐体６１０と、上筐体６２０と、を含む。下筐体６１０内には、貯水槽５１０が収容される。下筐体６１０には、洗濯槽５００からの水を排出するための排出口６１１が形成される。蓋体７００は、上筐体６２０に取り付けられる。蓋体７００は、上筐体６２０上で上下に回動する。上筐体６２０には、図１を参照して説明された給水口２００が形成され、給水口２００には図示しない給水弁が配設されている。後述する給水箱３３０及び洗剤ケース４００は、上筐体６２０内に組み込まれている。
【００１８】
貯水槽５１０内には、洗濯槽５００が収容される。洗濯槽５００の底部には、パルセーター５２０が回転自在に配設され、パルセーター５２０の回転により、洗濯槽５００内部の洗濯物を撹拌する。パルセーター５２０は、モータ５３０により回転駆動され、給水弁及びモータ５３０等は、図示しない制御手段により制御される。
【００１９】
図２に示される如く、蓋体７００は、上方に回動可能に構成されている。上筐体６２０
には、投入口６２１が形成される。使用者が、蓋体７００を上方に回動すると、投入口６２１を通じて洗濯槽５００が露出する。使用者は、洗濯物を、投入口６２１を通じて、洗濯槽５００へ投入できる。
【００２０】
洗剤ケース４００は、取手部４４０が投入口６２１に臨むように配設されている。したがって、使用者は、蓋体７００を上方に回動し、筐体６００から露出した洗剤ケース４００の取手部４４０を把持して引き出すことができる。
【００２１】
洗濯機１００の上筐体６２０には、操作パネル８００が配設されている。操作パネル８００は、給水口２００と蓋体７００との間に配置される。使用者は、操作パネル８００を操作し、洗濯槽５００の様々な動作を設定することができる。
【００２２】
上筐体６２０には、操作パネル８００及び給水口２００の下方位置に給水箱３３０が配置される。給水口２００から供給された水は、下方に流れ、給水箱３３０へ流入する。給水箱３３０に流入した水は、洗剤ケース４００に投入された洗剤を溶解しながら、泡を生成し、泡を洗濯槽５００へ供給する。
【００２３】
以上の構成において、給水の際には、給水口２００から供給された水は、下方に流れ、給水箱３３０へ流入する。給水箱３３０に流入した水は、洗剤ケース４００に投入された洗剤を溶解しながら、泡を生成し、生成した泡を洗濯槽５００へ供給する。
【００２４】
給水弁の開放と同時に、パルセーター５２０が回転を開始する。パルセーター５２０は、正転、逆転を繰り返す。パルセーター５２０の正転運転時間と逆転運転時間は、異なる時間に設定している。
【００２５】
本実施の形態では、パルセーター５２０は、正転を０．６秒間、逆転を０．４秒間行っている。このパルセーター５２０の回転により、パルセーター５２０は、正転時に、約３／４回転し、逆転時に１／２回転する。
【００２６】
パルセーター５２０が正転、逆転を繰り返すことにより、洗濯物が撹拌され、洗濯物が移動する。
【００２７】
図４（ａ）は、パルセーター５２０が回転を開始する前の状態を示し、洗濯物Ａ〜Ｄを示している。図４（ｂ）は、パルセーター５２０が正回転した状態を示し、洗濯物Ａ〜Ｄが図４（ａ）の状態から移動した状態を示している。図４（ｃ）は、図４（ｂ）の状態からパルセーター５２０が逆転した状態を示し、洗濯物Ａ〜Ｄが図４（ｂ）の状態から移動した状態を示している。
【００２８】
図４（ａ）、（ｂ）、（ｃ）に示すように、洗濯物Ａ〜Ｄは、順次移動する。パルセーター５２０の正転、逆転を繰り替えることにより、給水箱３３０から降りかかる泡を洗濯物Ａ〜Ｄに満遍なく供給することができる。
【００２９】
パルセーター５２０の正転時間と逆転時間を異ならせるだけの簡単な構成により、パルセーター５２０の正転時と逆転時との洗濯物Ａ〜Ｄの位置を容易に異ならせることができる。
【００３０】
従来の洗濯機においては、所定水位に貯水できるまで洗濯物の洗浄に必要な撹拌を行えなかったが、本実施の形態では、給水開始と同時に洗濯物を撹拌することが可能となり、運転時間を短縮することができる。
【００３１】
本実施の形態では、パルセーター５２０の正転運転時間を逆転運転時間より長く設定したが、正転運転時間より逆転運転時間を長く設定してもよい。また、パルセーター５２０の正転運転時の回転数と逆転運転時の回転数を異ならせてもよい。パルセーター５２０の正転時と逆転時の回転数を異ならせることにより、洗濯物に与える機械力を異ならせ、洗濯物の移動量を異ならせて、洗濯物の位置を異ならせることができる。
【００３２】
パルセーター５２０の正転運転時間と逆転運転時間は、異なる所定時間に設定してもよいが、洗濯物の量を判定して洗濯物の量に応じて給水量を設定する機能を有する洗濯機においては、判定した洗濯物の量に応じてパルセーター５２０の正転運転時間と逆転運転時間を設定するように構成してもよい。
【００３３】
貯水槽５１０、または洗濯槽５００の振動を検知する機能を有する洗濯機においては、パルセーター５２０の正転運転時と逆転運転時の振動を比較し、正転運転時の振動と逆転運転時の振動の差が小さい場合には、正転運転時間を長くするなど、正転運転時と逆転運転時の撹拌により洗濯物に与える運動エネルギーの差を大きくすることで、洗濯物の位置変化を大きくすることができる。
【００３４】
パルセーター５２０の正転運転時間を長くしても、パルセーター５２０の正転運転時と逆転運転時の貯水槽５１０、または洗濯槽５００の振動の差が小さいままの場合には、洗濯槽５００内の洗濯物が洗濯槽５００内の構造物に引っかかり、洗濯物が移動しないと推測されるため、パルセーター５２０の逆転運転時間を長くし、正転運転時間を短くすることにより洗濯物を移動しやすくすることができる。
【００３５】
本実施の形態では、給水口２００に配設した給水弁の開放と同時にパルセーター５２０を回転させる構成としたが、給水口２００から洗濯槽５００内に水が到達する程度の所定時間経過後にパルセーター５２０を回転させるようにしてもよい。
【産業上の利用可能性】
【００３６】
本発明は、洗濯機能を有する様々な装置に好適に利用される。
【符号の説明】
【００３７】
１００  洗濯機
２００  給水口
３３０  給水箱
４００  洗剤ケース
５００  洗濯槽
５１０  貯水槽
５２０  パルセーター
５３０  モータ
６００  筐体
【図１】
2016214480.tif 000003
【図２】
2016214480.tif 000004
【図３】
2016214480.tif 000005
【図４】
2016214480.tif 000006
【図５】
2016214480.tif 000007